(57)【要約】【課題】データの再書き込み可能／不可能な２種類の記録媒体を使用可能な撮像装置において、特に再書き込み不可能な記録媒体を装着したときに、無駄な記録容量の消費を防ぎ、該記録媒体を有効に使用できるようにすることを目的とする。【解決手段】記録媒体１２０として、データの再書き込みが可能な第１の記録媒体、及び、データの再書き込みが不可能な第２の記録媒体のいずれが装着されているかを判定し、第２の記録媒体が装着されていると判定された場合、付加情報の設定（日時設定）がなされていないとき、例えば撮影を禁止する。【選択図】図１
2008236639.tif 000002
【特許請求の範囲】
【請求項１】
記録媒体が着脱可能に装着される撮像装置であって、
撮像手段と、
前記撮像手段により得られた画像データ及び前記画像データに関する付加情報を前記記録媒体に記録するデータ記録手段と、
前記記録媒体として、データの再書き込みが可能な第１の記録媒体、及び、データの再書き込みが不可能な第２の記録媒体のいずれが装着されているかを判定する判定手段と、
前記判定手段によって前記第２の記録媒体が装着されていると判定された場合、前記付加情報の設定がなされていないとき、前記撮像手段又は前記データ記録手段に関する所定の動作を変更する制御手段とを備えたことを特徴とする撮像装置。
【請求項２】
前記付加情報の設定がなされていないときは、前記データ記録手段による記録前に前記付加情報を設定させることを特徴とする請求項１に記載の撮像装置。
【請求項３】
前記付加情報の設定がなされていないときは、前記撮像手段による撮影を禁止することを特徴とする請求項１に記載の撮像装置。
【請求項４】
前記付加情報の設定がなされていないときは、前記撮像手段による撮影後に前記付加情報を設定させることを特徴とする請求項１に記載の撮像装置。
【請求項５】
前記付加情報は、前記画像データ及び前記画像データに関する付加情報を１つのファイルとして記録する際にファイル情報として必要な情報であることを特徴とする請求項１に記載の撮像装置。
【請求項６】
前記付加情報は日時情報であることを特徴とする請求項１に記載の撮像装置。
【請求項７】
前記付加情報は撮影者情報であることを特徴とする請求項１に記載の撮像装置。
【請求項８】
前記付加情報はタグ情報であることを特徴とする請求項１に記載の撮像装置。
【請求項９】
前記付加情報は回転情報であることを特徴とする請求項１に記載の撮像装置。
【請求項１０】
前記付加情報はＧＰＳ情報であることを特徴とする請求項１に記載の撮像装置。
【請求項１１】
撮像手段と、前記撮像手段により得られた画像データ及び前記画像データに関する付加情報を記録媒体に記録するデータ記録手段と、着脱可能に装着される記録媒体として、データの再書き込みが可能な第１の記録媒体、及び、データの再書き込みが不可能な第２の記録媒体のいずれが装着されているかを判定する判定手段とを備えた撮像装置の制御方法であって、
前記判定手段によって前記第２の記録媒体が装着されていると判定された場合、前記付加情報の設定がなされていないとき、前記撮像手段又は前記データ記録手段に関する所定の動作を変更するステップを有することを特徴とする撮像装置の制御方法。
【請求項１２】
撮像手段と、前記撮像手段により得られた画像データ及び前記画像データに関する付加情報を記録媒体に記録するデータ記録手段と、着脱可能に装着される記録媒体として、データの再書き込みが可能な第１の記録媒体、及び、データの再書き込みが不可能な第２の記録媒体のいずれが装着されているかを判定する判定手段とを備えた撮像装置を制御するためのプログラムであって、
前記判定手段によって前記第２の記録媒体が装着されていると判定された場合、前記付加情報の設定がなされていないとき、前記撮像手段又は前記データ記録手段に関する所定の動作を変更する処理をコンピュータに実行させるためのプログラム。
【発明の詳細な説明】
【技術分野】
【０００１】
本発明は、異なる種類のメモリカード等の記録媒体に画像データを記録可能な撮像装置、その制御方法、及びプログラムに関する。
【背景技術】
【０００２】
従来より撮影画像をデジタル信号として記録再生するデジタルカメラが知られている。この種のデジタルカメラでは、記録媒体として再書き込み可能なフラッシュメモリをカード型にパッケージ化したメモリカードが用いられる。この場合、撮影後にユーザが気に入らない画像データを消去したり、記録媒体内の全ての画像データを消去したりすることができる（特許文献１等を参照）。
【０００３】
【特許文献１】特許第３１７７４９１号公報
【発明の開示】
【発明が解決しようとする課題】
【０００４】
近年では、メモリカードの価格は低下してきているとはいえ、大容量のものになるとまだ高価である。
【０００５】
そこで、同一のアドレスに対してデータの再書き込みを不可能とすることで、コスト低下を図ったメモリカードが検討されている。このようにデータの書き込みを一度限りとすることで、書き込みの繰り返しに対する動作保障が不要となり、製造原価が安く、また、製品に対する評価コストも小さくすることが可能となる。
【０００６】
今後は、従来方式のデジタルカメラに対して、上述した同一のアドレスに対してデータの再書き込みを不可能としたメモリカードを装着して使用する状況も考えられる。しかしながら、その場合に、例えば日時設定が不正な状態で撮影すると、撮影日時が不正なファイルとなってしまい、記録容量を無駄に消費することになる。
【０００７】
本発明は、上記のような点に鑑みてなされたものであり、再書き込み不可能な記録媒体を装着したときに、無駄な記録容量の消費を防ぎ、該記録媒体を有効に使用できるようにすることを目的とする。
【課題を解決するための手段】
【０００８】
本発明の撮像装置は、記録媒体が着脱可能に装着される撮像装置であって、撮像手段と、前記撮像手段により得られた画像データ及び前記画像データに関する付加情報を前記記録媒体に記録するデータ記録手段と、前記記録媒体として、データの再書き込みが可能な第１の記録媒体、及び、データの再書き込みが不可能な第２の記録媒体のいずれが装着されているかを判定する判定手段と、前記判定手段によって前記第２の記録媒体が装着されていると判定された場合、前記付加情報の設定がなされていないとき、前記撮像手段又は前記データ記録手段に関する所定の動作を変更する制御手段とを備えたことを特徴とする。
本発明の撮像装置の制御方法は、撮像手段と、前記撮像手段により得られた画像データ及び前記画像データに関する付加情報を前記記録媒体に記録するデータ記録手段と、着脱可能に装着される記録媒体として、データの再書き込みが可能な第１の記録媒体、及び、データの再書き込みが不可能な第２の記録媒体のいずれが装着されているかを判定する判定手段とを備えた撮像装置の制御方法であって、前記判定手段によって前記第２の記録媒体が装着されていると判定された場合、前記付加情報の設定がなされていないとき、前記撮像手段又は前記データ記録手段に関する所定の動作を変更するステップを有することを特徴とする。
本発明のプログラムは、撮像手段と、前記撮像手段により得られた画像データ及び前記画像データに関する付加情報を記録媒体に記録するデータ記録手段と、着脱可能に装着される記録媒体として、データの再書き込みが可能な第１の記録媒体、及び、データの再書き込みが不可能な第２の記録媒体のいずれが装着されているかを判定する判定手段とを備えた撮像装置を制御するためのプログラムであって、前記判定手段によって前記第２の記録媒体が装着されていると判定された場合、前記付加情報の設定がなされていないとき、前記撮像手段又は前記データ記録手段に関する所定の動作を変更する処理をコンピュータに実行させることを特徴とする。
【発明の効果】
【０００９】
本発明によれば、データの再書き込み可能／不可能な２種類の記録媒体を使用可能な撮像装置において、特に再書き込み不可能な記録媒体を装着したときに、無駄な記録容量の消費を防ぎ、該記録媒体を有効に使用することができる。
【発明を実施するための最良の形態】
【００１０】
以下、添付図面を参照して、本発明の好適な実施形態について説明する。
図１は、本発明を適用した実施形態に係るデジタルカメラ１００の構成を示す図である。１０は撮影レンズである。１２は絞り機能を備えるシャッターである。１４は光学像を電気信号に変換する撮像素子であり、本発明でいう撮像手段がこれに相当する。１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１１】
２０は画像処理回路であり、Ａ／Ｄ変換器１６からのデータ或いはメモリ制御回路２２からのデータに対して所定の画素補間処理や色変換処理を行う。また、画像処理回路２０は、撮像した画像データを用いて所定の演算処理を行い、得られた演算結果に基づいてシステム制御回路５０が露光制御部４０、測距制御部４２に対して制御を行う。これにより、ＴＴＬ（スルー・ザ・レンズ）方式のＡＦ（オートフォーカス）処理、ＡＥ（自動露出）処理、ＥＦ（フラッシュプリ発光）処理を行う。さらに、画像処理回路２０は、撮像した画像データを用いて所定の演算処理を行い、得られた演算結果に基づいてＴＴＬ方式のＡＷＢ（オートホワイトバランス）処理も行う。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１３】
２４は画像表示メモリである。２６はＤ／Ａ変換器である。２８はＴＦＴ ＬＣＤ等からなる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合にはデジタルカメラ１００の電力消費を大幅に低減することができる。
【００１４】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１６】
４０は絞り機能を備えるシャッター１２を制御する露光制御部であり、フラッシュ４８と連携することによりフラッシュ調光機能も有する。４２は撮影レンズ１０のフォーカシングを制御する測距制御部である。露光制御部４０、測距制御部４２はＴＴＬ方式を用いて制御され、撮像した画像データを画像処理回路２０によって演算した演算結果に基づき、システム制御回路５０が露光制御部４０、測距制御部４２に対して制御を行う。
【００１７】
４４は撮影レンズ１０のズーミングを制御するズーム制御部である。４６はバリア１０２の動作を制御するバリア制御部である。４８はＡＦ補助光の投光機能、フラッシュ調光機能も有するフラッシュである。
【００１８】
５０はデジタルカメラ１００全体を制御するシステム制御回路であり、本発明でいう制御手段がこれに相当する。５２はシステム制御回路５０の動作用の定数、変数、プログラム等を記憶するメモリである。
【００１９】
５４はシステム制御回路５０でのプログラムの実行に応じて、文字、画像、音声等を用いて動作状態やメッセージ等を表示する液晶表示装置、スピーカー等の表示部である。表示部５４は、デジタルカメラ１００の操作部近辺の視認し易い位置に単数或いは複数個所設置され、例えばＬＣＤやＬＥＤ、発音素子等の組み合わせにより構成される。また、表示部５４は、その一部の機能が光学ファインダ１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、外部記録媒体１２０の着脱状態表示、通信Ｉ／Ｆ動作表示、日付け・時刻表示等がある。また、表示部５４の表示内容のうち、光学ファインダ１０４内に表示するものとしては、合焦表示、手振れ警告表示、フラッシュ充電表示、シャッタースピード表示、絞り値表示、露出補正表示等がある。
【００２０】
５６は電気的に消去・記録可能な不揮発性メモリであり、例えばＥＥＰＲＯＭ等が用いられる。
【００２１】
６０、６２、６４、６６、６８、及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２２】
ここで、これらの操作手段の具体的な説明を行う。６０はモードダイアルスイッチであり、電源オフ、自動撮影モード、撮影モード、パノラマ撮影モード、再生モード、マルチ画面再生・消去モード、ＰＣ接続モード等の各機能モードを切り替え設定することができる。
【００２３】
６２はシャッタースイッチＳＷ１であり、不図示のシャッターボタンの操作途中でＯＮとなり、ＡＦ処理、ＡＥ処理、ＡＷＢ処理、ＥＦ処理等の動作開始を指示する。６４はシャッタースイッチＳＷ２であり、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体１２０に画像データを書き込む記録処理という一連の処理の動作開始を指示する。
【００２４】
６６は画像表示ＯＮ／ＯＦＦスイッチであり、画像表示部２８のＯＮ／ＯＦＦを設定することができる。この機能により、光学ファインダ１０４を用いて撮影を行う際に、画像表示部２８への電流供給を遮断することにより、省電力を図ることが可能となる。
【００２５】
６８はクイックレビューＯＮ／ＯＦＦスイッチであり、撮影直後に撮影した画像データを自動再生するクイックレビュー機能を設定する。なお、本実施形態では、特に画像表示部２８をＯＦＦとした場合におけるクイックレビュー機能を設定する機能を備えるものとする。
【００２６】
７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００２７】
８０は電源制御部であり、電池検出回路、ＤＣ-ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ-ＤＣコンバータを制御し、必要な電圧を必要な期間、記録媒体を含む各部へ供給する。
【００２８】
８２、８４はコネクタである。８６は電源であり、アルカリ電池やリチウム電池等の一次電池やＮｉＣｄ電池やＮｉＭＨ電池、Ｌｉ電池等の二次電池、ＡＣアダプタ等からなる。
【００２９】
９０はメモリカード等の外部記録媒体とデータの送受信を行うカードコントローラである。９１はメモリカード等の外部記録媒体とのインタフェースである。９２はメモリカード等の外部記録媒体１２０と接続を行うコネクタである。９８はコネクタ９２に外部記録媒体１２０が装着されているか否かを検知する記録媒体着脱検知部である。
【００３０】
なお、本実施形態では、記録媒体を取り付けるインタフェースやコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。
【００３１】
さらに、インタフェース９１、そしてコネクタ９２をＰＣＭＣＩＡカードやＣＦ（コンパクトフラッシュ（登録商標））カード等の規格に準拠したものを用いて構成した場合、各種通信カードを接続することができる。通信カードは、ＬＡＮカードやモデムカード、ＵＳＢカード、ＩＥＥＥ１３９４カード、Ｐ１２８４カード、ＳＣＳＩカード、ＰＨＳ等の通信カード等である。そして、各種通信カードを接続することにより、他のコンピュータやプリンタ等の周辺機器との間で画像データや画像データに付属した管理情報を転送し合うことができる。
【００３２】
１０２は保護手段としてのバリアであり、デジタルカメラ１００のレンズ１０を含む撮像部を覆うことにより、撮像部の汚れや破損を防止する。
【００３３】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等が設置されている。
【００３４】
１２０はメモリカード等の外部記録媒体であり、デジタルカメラ１００に着脱可能に装着される。本実施形態に係るデジタルカメラ１００では、同一のアドレスに対してデータの再書き込みが可能な記録媒体、及び、同一のアドレスに対してデータの再書き込みが不可能な記録媒体のいずれも装着可能となっている。前者の記録媒体が本発明でいう第１の記録媒体に相当し、後者の記録媒体が本発明でいう第２の記録媒体に相当するものである。
【００３５】
次に、図２、図３、図４を参照して、本実施形態に係るデジタルカメラ１００の処理動作を説明する。
【００３６】
図２は、本実施形態に係るデジタルカメラ１００の起動時の処理動作を示すフローチャートである。電源投入後、ステップＳ２０１で、システム制御回路５０は、日時設定済みか否かを判定する。上記ステップＳ２０１において日時設定済みでない場合、ステップＳ２０２に進み、日時設定画面を表示する。なお、上記ステップＳ２０１において日時設定済みである場合は、そのまま撮影待機状態になる。
【００３７】
次に、ステップＳ２０３で、システム制御回路５０は、カードコントローラ９０を介して、コネクタ９２に装着されている記録媒体が、同一のアドレスに対してデータの再書き込みが不可能な記録媒体（ワンタイムＳＤ）であるか否かを判定する。これが本発明でいう判定手段による処理例である。
【００３８】
上記ステップＳ２０３においてワンタイムＳＤでない場合、ステップＳ２０４に進み、操作部７０にあるキャンセルボタンが押されたか否かを判定する。
【００３９】
上記ステップＳ２０４においてキャンセルボタンが押されていない場合、ステップＳ２０５に進み、日時設定が完了したか否かを判定する。なお、上記ステップＳ２０３においてワンタイムＳＤである場合は、ステップＳ２０５に進み、日時設定が完了したか否かを判定する。
【００４０】
上記ステップＳ２０５において日時設定が完了していない場合、ステップＳ２０６に進み、システム制御回路５０は、シャッタースイッチＳＷ１が押されたか否かを判定する。上記ステップＳ２０６においてシャッタースイッチＳＷ１が押された場合、ステップＳ２０７に進み、日時設定画面を消去し、ステップＳ２０８に進み、ＡＦ処理、ＡＥ処理、ＡＷＢ処理等の撮影準備動作をする。なお、上記ステップＳ２０６においてシャッタースイッチＳＷ１が押されていない場合は、ステップＳ２０３に戻る。
【００４１】
上記ステップＳ２０４においてキャンセルボタンが押された場合や、上記ステップＳ２０５において日時設定が完了した場合、システム制御回路５０は、ステップＳ２０９に進み、日時設定画面を消去し、撮影待機状態になる。
【００４２】
図３は、本実施形態に係るデジタルカメラ１００の撮影待機状態から撮影までの処理動作を示すフローチャートである。撮影待機状態において、ステップＳ３０１で、システム制御回路５０は、シャッタースイッチＳＷ１が押されたか否かを判定する。上記ステップＳ３０１においてシャッタースイッチＳＷ１が押された場合、ステップＳ３０２に進み、日時設定がされているか否かを判定する。なお、上記ステップＳ３０１においてシャッタースイッチＳＷ１が押されていない場合は、シャッタースイッチＳＷ１が押されるまで待機する。
【００４３】
上記ステップＳ３０２において日時設定がされていなかった場合、ステップＳ３０３に進み、システム制御回路５０は、カードコントローラ９０を介して、コネクタ９２に装着されている記録媒体がワンタイムＳＤであるか否かを判定する。これが本発明でいう判定手段による処理例である。
【００４４】
上記ステップＳ３０３においてワンタイムＳＤでない場合、また、上記ステップＳ３０２において日時設定がされている場合、ステップＳ３０４に進み、ＡＦ処理、ＡＥ処理、ＡＷＢ処理等の撮影準備動作をする。なお、上記ステップＳ３０３においてワンタイムＳＤである場合は、ステップＳ３０１に戻り、撮影待機状態のままとなる。すなわち、ワンタイムＳＤが装着されており、日時設定がなされていないときは、撮影を禁止する。
【００４５】
ステップＳ３０４の撮影準備動作が完了すると、ステップＳ３０５で、システム制御回路５０は、シャッタースイッチＳＷ１が押されているか否かを判定する。上記ステップＳ３０５においてシャッタースイッチＳＷ１が押されている場合、ステップＳ３０６に進み、シャッタースイッチＳＷ２が押されたか否かを判定する。なお、上記ステップＳ３０５においてシャッタースイッチＳＷ１が押されていない場合は、ステップＳ３０１に戻り、撮影待機状態となる。
【００４６】
上記ステップＳ３０６においてシャッタースイッチＳＷ２が押された場合、ステップＳ３０７に進み、日時設定がされているか否かを判定する。なお、上記ステップＳ３０６において、シャッタースイッチＳＷ２が押されていない場合は、ステップＳ３０５に戻り、シャッタースイッチＳＷ１が押されているか否かを判定する。
【００４７】
上記ステップＳ３０７において日時設定がされている場合、ステップＳ３０８に進み、現在の時刻を撮影時刻としてメモリ５２に記憶する。ステップＳ３０８の撮影時刻の記憶が完了すると、ステップＳ３０９に進み、露光処理、現像処理、圧縮処理という一連の撮影処理を行う。また、上記ステップＳ３０７において日時設定がされていない場合は、ステップＳ３１０に進み、システム制御回路５０にあるタイマーを動作させ、計時を開始し、ステップＳ３０９に進み、一連の撮影処理を行う。
【００４８】
図４は、本実施形態に係るデジタルカメラ１００の撮影から記録までの処理動作を示すフローチャートである。一連の撮影処理が完了すると、ステップＳ４０１で、システム制御回路５０は、日時設定がされているか否かを判定する。上記ステップＳ４０１において日時設定がされている場合、ステップＳ４０２に進み、システム制御回路５０は、カードコントローラ９０を介して、コネクタ９２に装着されている記録媒体がワンタイムＳＤであるか否かを判定する。これが本発明でいう判定手段による処理例である。なお、上記ステップＳ４０１において日時設定済みである場合は、ステップＳ４０８に進む。
【００４９】
上記ステップＳ４０２においてワンタイムＳＤである場合、ステップＳ４０３に進み、日時設定画面を表示した後、ステップＳ４０４に進み、日時設定が完了したか否かを判定し、完了するまで待機する。すなわち、ワンタイムＳＤが装着されており、日時設定がなされていないときは、記録前に日時設定させる。
【００５０】
上記ステップＳ４０４において日時設定が完了した場合、ステップＳ４０５に進み、ステップＳ３１０で開始した計時を終了し、設定された日時から計時された時間を減算することにより撮影時刻を算出する。次に、ステップＳ４０６に進み、撮影時刻としてメモリ５２に記憶する。次に、ステップＳ４０７に進み、日時設定画面を消去する。その後、ステップＳ４０８に進み、ステップＳ３０９で撮影処理された画像データとメモリ５２に記憶されている撮影時刻を１つのファイルとしてコネクタ９２に装着されている記録媒体に記録する。これが本発明でいうデータ記録手段による処理例である。
【００５１】
上記ステップＳ４０２においてワンタイムＳＤでない場合は、ステップＳ４０８に進み、撮影時刻が記憶されていないため、撮影時刻が不定のまま記録媒体に記録する。また、上記ステップＳ４０１において日時設定済みである場合は、ステップＳ３０９で撮影処理された画像データとメモリ５２に記憶されている撮影時刻を１つのファイルとしてコネクタ９２に装着されている記録媒体に記録する。
【００５２】
本実施形態では、ワンタイムＳＤ使用時の所定の動作変更の対象となる付加情報の設定を、日時情報の設定として説明した。ただし、それ以外にも、撮影者情報（オーナーネーム）、撮影した画像のカテゴリを識別するためのタグ情報、撮影時のカメラの回転方向を示す回転情報、撮影した位置に関するＧＰＳ情報等のファイル情報として必要な付加情報に関する設定にも適用しうる。
【００５３】
また、ワンタイムＳＤ使用時の所定の動作変更の対象となる付加情報の設定を、メニュー等でユーザが選択できるようにしても良い。
【００５４】
以上説明したように、ワンタイムＳＤを使用する際に、ファイル情報として必要な付加情報に関する設定がされていない場合に、記録媒体に記録する前にその設定をさせることにより、不要なファイル作成による記録容量の消費を防ぎ、該記録媒体を有効に使用することができる。
【００５５】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００５６】
この場合、記憶媒体から読み出されたプログラムコード自体が上述した実施形態の機能を実現することになり、プログラムコード自体及びそのプログラムコードを記憶した記憶媒体は本発明を構成することになる。
【００５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５８】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００５９】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【図面の簡単な説明】
【００６０】
【図１】実施形態に係るデジタルカメラの構成を示す図である。
【図２】実施形態に係るデジタルカメラの起動時の処理動作を示すフローチャートである。
【図３】実施形態に係るデジタルカメラの撮影待機状態から撮影までの処理動作を示すフローチャートである。
【図４】実施形態に係るデジタルカメラの撮影から記録までの処理動作を示すフローチャートである。
【符号の説明】
【００６１】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０：メモリ
３２：圧縮・伸長回路
４０：露光制御部
４２：測距制御部
４４：ズーム制御部
４６：バリア制御部
４８：フラッシュ
５０：システム制御回路
５２：メモリ
５４：表示部
５６：不揮発性メモリ
９０：カードコントローラ
９１：インタフェース
９２：コネクタ
９８：記録媒体着脱検知部
１００：デジタルカメラ
１２０：外部記録媒体
【図１】
2008236639.tif 000003
【図２】
2008236639.tif 000004
【図３】
2008236639.tif 000005
【図４】
2008236639.tif 000006